(57)【要約】  本開示は、一般に漂白活性化剤組成物に関する。本開示は、より詳細には、テトラアセチルジアミンおよび／またはトリアセチルジアミンの誘導体ならびにその組成物、ならびに漂白活性化剤としてのそれらの使用、ならびに洗剤または殺生物剤としてそれらを使用する方法に関する。【特許請求の範囲】
【請求項１】
１つまたは複数の活性酸素剤、および少なくとも１つの式（Ｉ）：
【化１】
2021522359.tif 000021
［式中、
【化２】
2021522359.tif 000022
は、単結合または二重結合を表し、ただし、前記結合がＣ原子の原子価要件を満たすことを条件とし；
Ｒ１は、Ｃ１〜Ｃ４アルキル、Ｃ２〜Ｃ４アルケニル、またはＣ２〜Ｃ４アルキニルであり、それぞれは独立して、任意選択で１つまたは複数のＲ４で置換されており；
Ｒ２は、水素、Ｃ１〜Ｃ４アルキル、Ｃ２〜Ｃ４アルケニル、またはＣ２〜Ｃ４アルキニルであり、それぞれは独立して、任意選択で１つまたは複数のＲ５で置換されており；
またはＲ１およびＲ２は、それらが結合している原子と一緒になって、アリール、ヘテロアリール、ヘテロシクリル、もしくはＣ５〜Ｃ８シクロアルキル環を形成し；
Ｒ３は水素またはアセチルであり；
各Ｒ４およびＲ５は、独立して、Ｃ３〜Ｃ８シクロアルキル、アリール、ヘテロアリール、およびヘテロシクリルからなる群から選択される］の化合物またはその塩を含む水性組成物。
【請求項２】
【化３】
2021522359.tif 000023
が単結合を表し、例えば、前記化合物（Ｉ）が、式（Ｉ−１）：
【化４】
2021522359.tif 000024
の化合物である、請求項１に記載の組成物。
【請求項３】
Ｒ１が、任意選択で１つまたは複数のＲ４で置換されたＣ１〜Ｃ４アルキルであるか；または
Ｒ１が、任意選択で１つまたは複数のＲ４で置換されたＣ１〜Ｃ３アルキルであるか；または
Ｒ１が、任意選択で１つまたは複数のＲ４で置換されたＣ１〜Ｃ２アルキルであるか；または
Ｒ１が、非置換のＣ１〜Ｃ４アルキルであるか；またはＲ１が、非置換のＣ１〜Ｃ３アルキルであるか；または
Ｒ１が、非置換のＣ１〜Ｃ２アルキルであるか；またはＲ１がメチルであるか；またはＲ１がエチルである、請求項１または２に記載の組成物。
【請求項４】
Ｒ２が、水素であるか；または
Ｒ２が、任意選択で１つまたは複数のＲ５で置換されたＣ１〜Ｃ４アルキルであるか；または
Ｒ２が、任意選択で１つまたは複数のＲ５で置換されたＣ１〜Ｃ３アルキルであるか；または
Ｒ２が、任意選択で１つまたは複数のＲ４で置換されたＣ１〜Ｃ２アルキルであるか；または
Ｒ２が、非置換のＣ１〜Ｃ４アルキルであるか；またはＲ２が、非置換のＣ１〜Ｃ３アルキルであるか；または
Ｒ２が、非置換のＣ１〜Ｃ２アルキルであるか；またはＲ２がメチルであるか；またはＲ２がエチルである、請求項１から３のいずれかに記載の組成物。
【請求項５】
Ｒ３がアセチルであるか；またはＲ３が水素である、請求項１から４のいずれかに記載の組成物。
【請求項６】
前記式（Ｉ）の化合物が：
【化５】
2021522359.tif 000025
であるか；または
前記式（Ｉ）の化合物が：
【化６】
2021522359.tif 000026
であるか；または
前記式（Ｉ）の化合物が：
【化７】
2021522359.tif 000027
である、請求項１に記載の組成物。
【請求項７】
前記１つまたは複数の活性酸素剤が、過酸素化合物、過酸素化合物付加物、過酸化水素、過酸化水素を遊離するかまたは発生する化合物、無機または有機のペルオキシ酸、ペルオキシカルボン酸、過炭酸塩、過ホウ酸塩、ペルオキシ水和物、過ケイ酸塩、過硫酸塩、およびこれらの組合せからなる群から選択される、請求項１から６のいずれかに記載の組成物。
【請求項８】
前記式（Ｉ）の化合物が、洗剤組成物の総重量に対して、約０．５ｗｔ％〜約１０ｗｔ％の範囲内の量で存在し；かつ／または前記１つまたは複数の活性酸素剤が、前記洗剤組成物の総重量に対して、約０．５ｗｔ％〜約２０ｗｔ％の範囲内の量で存在する、請求項１から７のいずれかに記載の組成物。
【請求項９】
テトラアセチルエチレンジアミン（ＴＡＥＤ）を実質的に含有せず、例えば、前記組成物の総重量に対して、１ｗｔ％以下（例えば、０．５ｗｔ％以下、または０．１ｗｔ％以下、または０．０１ｗｔ％以下、または０．００１ｗｔ％以下、またはさらに０ｗｔ％）のＴＡＥＤが、前記組成物中に存在する、請求項１から８のいずれかに記載の組成物。
【請求項１０】
１つまたは複数の界面活性剤および請求項１から９のいずれかに記載の組成物を含む、洗剤組成物。
【請求項１１】
前記１つまたは複数の界面活性剤が、前記洗剤組成物の総重量に対して、約０．５ｗｔ％〜約７０ｗｔ％の範囲内の量で存在する、請求項１０に記載の洗剤組成物。
【請求項１２】
液体形態であるか；または
約８〜約１２の範囲内、例えば、約８〜約１１、もしくは約８〜約１０、もしくは約８〜約９、もしくは約８．２〜約９．８、もしくは約８．３〜約９．７、もしくは約８．４〜約９．６、もしくは約８．６〜約９．５、もしくは約８．８〜約９．３の範囲内のｐＨ値を有する液体形態；または
ゲル形態であるか；または
水に溶解した時、約８〜約１２の範囲内、例えば、約８〜約１１、もしくは約８〜約１０、もしくは約８〜約９、もしくは約８．２〜約９．８、もしくは約８．３〜約９．７、もしくは約８．４〜約９．６、もしくは約８．６〜約９．５、もしくは約８．８〜約９．３の範囲内のｐＨ値を有するゲル形態である、請求項１０または１１に記載の洗剤組成物。
【請求項１３】
汚れた基材（例えば、セラミック、布帛、または金属の基材）を処理する方法であって、前記基材と請求項１０から１２のいずれかに記載の洗剤組成物とを接触させることを含む、方法。
【請求項１４】
基材（例えば、セラミック、布帛、または金属の基材）を消毒する方法であって、前記基材と請求項１から９のいずれかに記載の組成物とを接触させることを含む、方法。
【請求項１５】
過酢酸溶液を生成する方法であって、水溶液中で、活性酸素剤と式（Ｉ）：
【化８】
2021522359.tif 000028
［式中、
【化９】
2021522359.tif 000029
は、単結合または二重結合を表し、ただし、前記結合がＣ原子の原子価要件を満たすことを条件とし；
Ｒ１は、Ｃ１〜Ｃ４アルキル、Ｃ２〜Ｃ４アルケニル、またはＣ２〜Ｃ４アルキニルであり、それぞれは独立して、任意選択で１つまたは複数のＲ４で置換されており；
Ｒ２は、水素、Ｃ１〜Ｃ４アルキル、Ｃ２〜Ｃ４アルケニル、またはＣ２〜Ｃ４アルキニルであり、それぞれは独立して、任意選択で１つまたは複数のＲ５で置換されており；
またはＲ１およびＲ２は、それらが結合している原子と一緒になって、アリール、ヘテロアリール、ヘテロシクリル、もしくはＣ５〜Ｃ８シクロアルキル環を形成し；
Ｒ３は水素またはアセチルであり；
各Ｒ４およびＲ５は、独立して、Ｃ３〜Ｃ８シクロアルキル、アリール、ヘテロアリール、およびヘテロシクリルからなる群から選択される］の化合物またはその塩とを反応させて、アミド結合を過加水分解することを含む、方法。
【発明の詳細な説明】
【技術分野】
【０００１】
関連出願の相互参照
本出願は、２０１８年４月１６日に出願された米国仮特許出願第６２／６５８，３４６号の優先権を主張し、よってその内容全体が参照により本明細書に組み込まれる。
【０００２】
本開示は、一般に漂白活性化剤組成物に関する。本開示は、より詳細には、テトラアセチルジアミンおよび／またはトリアセチルジアミンの誘導体ならびにその組成物、ならびに漂白活性化剤としてのそれらの使用、および洗剤または殺生物剤としてそれらを使用する方法に関する。
【背景技術】
【０００３】
過酸素系漂白剤化合物は、基材から汚れを除去するその能力に関して周知である。そのような漂白剤としては、過酸化水素、または無機もしくは有機の過酸化物などのペルヒドロキシルラジカルを生じ得る物質が挙げられる。一般に、過酸素系漂白剤化合物または過酸化水素は、活性化されなければならない。活性化の一方法は、６０℃より高い洗浄温度を用いることである。過酸素系漂白剤化合物の活性化に必要とされる高温により、基材（詳細には布帛基材）に早期損傷が起きる場合があり、布帛基材に使用される染料が損傷されることが多い。
【０００４】
活性化の別の公知の手法は、過酸素系漂白剤化合物と共に有機前駆体化合物を使用することである。過酸素系漂白剤化合物を有する組成物に、漂白活性化剤とも呼ばれることが多い有機前駆体を添加することにより、例えば４０〜６０℃のようなより低い洗浄温度における漂白活性が改善される。漂白活性化剤の例は、テトラアセチルエチレンジアミン（ＴＡＥＤ）およびノナノイルオキシベンゼンスルホン酸ナトリウム（ＮＯＢＳ）である。漂白活性化剤は、過酸素系漂白剤化合物により水溶液中に放出される過酸化水素のペルヒドロキシドアニオン（ＯＯＨ−）と反応して、単独の過酸化物漂白剤より漂白剤として反応性が高いペルオキシ酸を形成する。
【０００５】
ＴＡＥＤは、過酸化物誘導体（過ホウ酸塩、過炭酸塩、または過硫酸塩など）と反応して過酢酸を生成することができ、これが低温における（＜６０℃）効率のよい漂白を可能にする。ＴＡＥＤに関する主要な欠点は、塩基性条件下における競争的加水分解であり、このためにＴＡＥＤが消費され、漂白作用がない酢酸が生成されて、低い漂白効率がもたらされる。結果として、ＴＡＥＤは、詳細には液体洗剤配合物において、長い貯蔵寿命に伴いその漂白活性を失う。したがって、塩基性条件下における競争的加水分解が少ない（すなわち、液体配合物中でより長い貯蔵寿命を有する）が、低温において（＜６０℃）依然として漂白可能である、効率のよい漂白活性化剤が必要とされている。
【発明の概要】
【０００６】
本発明者らは、本開示の組成物が、ＴＡＥＤと比較してより良好な加水分解安定性を有することを見出した。同時に、本開示の組成物は、ＴＡＥＤ組成物と等価な漂白活性を保持している。したがって、本開示の組成物は、詳細には液体洗剤配合物において、より長い貯蔵寿命を有する。さらに、有機溶媒の助力なしでは水に容易に溶解し得ないＴＡＥＤと比較して、式（Ｉ）の化合物は水性環境に容易に溶解し得る。本開示の組成物は、付加的な溶媒を使用することなく液体洗剤組成物に含まれることが可能であり、したがって、それらは環境をより配慮したものとなる。
【０００７】
したがって、本開示の一態様は、１つまたは複数の活性酸素剤、および少なくとも１つの式（Ｉ）：
【化１】
2021522359.tif 000002
［式中、
【化２】
2021522359.tif 000003
は、単結合または二重結合を表し、ただし、結合がＣ原子の原子価要件を満たすことを条件とし；
Ｒ１は、Ｃ１〜Ｃ４アルキル、Ｃ２〜Ｃ４アルケニル、またはＣ２〜Ｃ４アルキニルであり、それぞれは独立して、任意選択で１つまたは複数のＲ４で置換されており；
Ｒ２は、水素、Ｃ１〜Ｃ４アルキル、Ｃ２〜Ｃ４アルケニル、またはＣ２〜Ｃ４アルキニルであり、それぞれは独立して、任意選択で１つまたは複数のＲ５で置換されており；
またはＲ１およびＲ２は、それらが結合している原子と一緒になって、アリール、ヘテロアリール、ヘテロシクリル、もしくはＣ５〜Ｃ８シクロアルキル環を形成し；
Ｒ３は水素またはアセチルであり；
各Ｒ４およびＲ５は、独立して、Ｃ３〜Ｃ８シクロアルキル、アリール、ヘテロアリール、およびヘテロシクリルからなる群から選択される］の化合物またはその塩を含む水性組成物を提供する。
【０００８】
本開示の別の態様は、１つまたは複数の界面活性剤、１つまたは複数の活性酸素剤、および少なくとも１つの式（Ｉ）の化合物を含む洗剤組成物を提供する。
【０００９】
本開示の別の態様は、汚れた基材（例えば、セラミック、布帛、または金属の基材）を処理する方法を提供する。そのような方法は、基材を本開示の洗剤組成物と接触させることを含む。
【００１０】
本開示の別の態様は、基材（例えば、セラミック、布帛、または金属の基材）を消毒する方法を提供する。そのような方法は、基材を本開示の組成物と接触させることを含む。
【００１１】
本開示の別の態様は、基材（例えば、セラミック、布帛、または金属の基材）を漂白する方法を提供する。そのような方法は、基材を本開示の組成物と接触させることを含む。
【００１２】
別の態様では、本開示は、過酢酸溶液を生成する方法を提供する。そのような方法は、活性酸素剤と式（Ｉ）の化合物とを水溶液中で反応させて、アミド結合を過加水分解する(perhydrolyse)ことを含む。
【００１３】
別の態様では、本開示は、式（Ｉ）の化合物を調製する方法を提供する。そのような方法は、式（ＩＩ）の化合物
【化３】
2021522359.tif 000004
［式中、
【化４】
2021522359.tif 000005
は、単結合または二重結合を表し、ただし、結合がＣ原子の原子価要件を満たすことを条件とし；
Ｒ１１は、Ｃ１〜Ｃ４アルキル、Ｃ２〜Ｃ４アルケニル、またはＣ２〜Ｃ４アルキニルであり、それぞれは独立して、任意選択で１つまたは複数のＲ４１で置換されており；
Ｒ２１は、水素、Ｃ１〜Ｃ４アルキル、Ｃ２〜Ｃ４アルケニル、またはＣ２〜Ｃ４アルキニルであり、それぞれは独立して、任意選択で１つまたは複数のＲ５１で置換されており；
またはＲ１１およびＲ２１は、それらが結合している原子と一緒になって、アリール、ヘテロアリール、ヘテロシクリル、もしくはＣ５〜Ｃ８シクロアルキル環を形成し；
各Ｒ４１およびＲ５１は、独立して、Ｃ３〜Ｃ８シクロアルキル、アリール、ヘテロアリール、およびヘテロシクリルからなる群から選択される］
またはその塩と、無水酢酸または塩化アセチル、および塩基とを接触させることを含む。
【００１４】
添付の図は、本開示の方法および組成物のさらなる理解をもたらすために含まれ、本明細書に組み込まれ、その一部を構成している。図は本開示の１つまたは複数の実施形態を例示し、その記載と共に、本開示の原理および操作を説明するのに役立つ。
【図面の簡単な説明】
【００１５】
【図１】ＴＡＥＤ、Ｎ，Ｎ’−（プロパン−１，２−ジイル）ビス（Ｎ−アセチルアセトアミド）（１）、およびＮ−（２−アセトアミドプロピル）−Ｎ−アセチルアセトアミド（２）の、ｐＨ８．０における、過ホウ酸ナトリウム（１０当量）の非存在下（点線を伴う塗りつぶし記号）および過ホウ酸ナトリウムの存在下（実線を伴う塗りつぶしなし記号）における分解動態を示す図である。（Ａ）試験分子の正規化分解プロット。（Ｂ）試験分子の動態プロット。
【図２】さまざまな化合物を用いた処理後の、異なる時間における食用色素の写真画像を示す図である。
【発明を実施するための形態】
【００１６】
開示される方法および材料を説明する前に、本明細書に記載される態様は、特定の実施形態、または構成に限定されることはなく、したがって、当然のことながら変更することができることを理解されたい。本明細書中で使用される専門用語は、特定の態様を説明することのみを目的としたものであり、本明細書で特に定義されない限り、限定することを意図するものではないこともまた理解されたい。
【００１７】
本開示を考慮すると、本明細書に記載される組成物および方法は、所望される必要性を満たすように当業者により構成され得る。一般に、本開示の組成物および方法は、漂白活性化剤、詳細には洗剤および殺生物剤配合物に使用される漂白活性化剤の改善を提供する。
【００１８】
例えば、ある特定の実施形態では、本開示の組成物（すなわち、１つまたは複数の式（Ｉ）の化合物を含む組成物）は、ＴＡＥＤ組成物と比較して、より良好な加水分解安定性を有する。特に、Ｎ，Ｎ’−（プロパン−１，２−ジイル）ビス（Ｎ−アセチルアセトアミド）（１）は、予期しなかったことだが、約５〜９の間のｐＨ値において、ＴＡＥＤと比較して、よりゆっくりとした加水分解を示す。１の半減期は、ｐＨ８．０においてＴＡＥＤの半減期より１．５倍長く、ｐＨ９．０において２．６倍長い。同様に、Ｎ−（２−アセトアミドプロピル）−Ｎ−アセチルアセトアミド（２）は、塩基性ｐＨにおいて、さらにゆっくりとした加水分解を示した。２の半減期は、ｐＨ８．０においてＴＡＥＤの半減期より５．７倍長く、かつｐＨ９．０において５．８倍長い。特定の理論に束縛されないが、Ｒ１および／またはＲ２置換基が、加水分解性の分解を減速させるのに十分な立体障害をもたらすと考えられる。
【００１９】
ある特定の実施形態では、本開示の組成物（すなわち、１つまたは複数の式（Ｉ）の化合物を含む組成物）は、ＴＡＥＤ組成物と等価な漂白活性を保持する。特に、１０当量の過ホウ酸ナトリウムの存在下における過加水分解の速度は、１とＴＡＥＤとの間で同等であり、そのより遅い加水分解に起因して、１の漂白活性化剤としてのより高い効率を示している。青色染料を用いた漂白研究もまた、染料を漂白する、１およびＴＡＥＤの同様の有効性を示した。
【００２０】
したがって、本開示の一態様は、１つまたは複数の活性酸素剤、および少なくとも１つの式（Ｉ）の化合物：
【化５】
2021522359.tif 000006
［式中、
【化６】
2021522359.tif 000007
は、単結合または二重結合を表し、ただし、結合がＣ原子の原子価要件を満たすことを条件とし；
Ｒ１は、Ｃ１〜Ｃ４アルキル、Ｃ２〜Ｃ４アルケニル、またはＣ２〜Ｃ４アルキニルであり、そのそれぞれは独立して、任意選択で１つまたは複数のＲ４で置換されており；
Ｒ２は、水素、Ｃ１〜Ｃ４アルキル、Ｃ２〜Ｃ４アルケニル、またはＣ２〜Ｃ４アルキニルであり、そのそれぞれは独立して、任意選択で１つまたは複数のＲ５で置換されており；
またはＲ１およびＲ２は、それらが結合している原子と一緒になって、アリール、ヘテロアリール、ヘテロシクリル、もしくはＣ５〜Ｃ８シクロアルキル環を形成し；
Ｒ３は水素またはアセチルであり；
各Ｒ４およびＲ５は、独立して、Ｃ３〜Ｃ８シクロアルキル、アリール、ヘテロアリール、およびヘテロシクリルからなる群から選択される］またはその塩を含む水性組成物を提供する。
【００２１】
上記のとおり、本開示の組成物は、少なくとも１つの式（Ｉ）の化合物を含む。
【００２２】
ある特定の実施形態では、式（Ｉ）の化合物は、
【化７】
2021522359.tif 000008
が単結合を表す化合物であり、例えば、化合物（Ｉ）は、式（Ｉ−１）の化合物：
【化８】
2021522359.tif 000009
である。
【００２３】
一実施形態では、本開示は、Ｒ１が、任意選択で１つまたは複数のＲ４で置換されたＣ１〜Ｃ４アルキルである、式（Ｉ）または（Ｉ−１）の化合物を提供する。他の実施形態は、Ｒ１が、任意選択で１つまたは複数のＲ４で置換されたＣ１〜Ｃ３アルキルである化合物である。他の実施形態は、Ｒ１が、任意選択で１つまたは複数のＲ４で置換されたＣ１〜Ｃ２アルキルである化合物である。
【００２４】
一実施形態では、本開示は、Ｒ１が、非置換のＣ１〜Ｃ４アルキルである、式（Ｉ）または（Ｉ−１）の化合物を提供する。他の実施形態は、Ｒ１が、非置換のＣ１〜Ｃ３アルキルであるか、またはＲ１が、非置換のＣ１〜Ｃ２アルキルである化合物である。さらに他の実施形態では、Ｒ１はメチルである。さらに他の実施形態では、Ｒ１はエチルである。
【００２５】
本開示の別の実施形態は、Ｒ２が水素である、式（Ｉ）または（Ｉ−１）の化合物を提供する。
【００２６】
本開示のまた別の実施形態は、Ｒ２が、任意選択で１つまたは複数のＲ５で置換されたＣ１〜Ｃ４アルキルである、式（Ｉ）または（Ｉ−１）の化合物を提供する。他の実施形態は、Ｒ２が、任意選択で１つまたは複数のＲ５で置換されたＣ１〜Ｃ３アルキルである化合物である。他の実施形態は、Ｒ２が、任意選択で１つまたは複数のＲ５で置換されたＣ１〜Ｃ２アルキルである化合物である。
【００２７】
一実施形態では、本開示は、Ｒ２が、非置換のＣ１〜Ｃ４アルキルである、式（Ｉ）または（Ｉ−１）の化合物を提供する。他の実施形態は、Ｒ２が、非置換のＣ１〜Ｃ３アルキルであるか、またはＲ２が、非置換のＣ１〜Ｃ２アルキルである化合物である。さらに他の実施形態では、Ｒ２はメチルである。さらに他の実施形態では、Ｒ２はエチルである。
【００２８】
本開示の特定の実施形態は、Ｒ１およびＲ２が、それらが結合している原子と一緒になって、アリール、ヘテロアリール、ヘテロシクリル、またはＣ５〜Ｃ８シクロアルキル環を形成する、式（Ｉ）の化合物を提供する。本開示の一部の実施形態は、Ｒ１およびＲ２が、それらが結合している原子と一緒になって、アリールまたはＣ５〜Ｃ８シクロアルキル環を形成する、式（Ｉ）の化合物を提供する。一部の実施形態では、Ｒ１およびＲ２は、
【化９】
2021522359.tif 000010
が二重結合を表している時、それらが結合している原子と一緒になって、フェニル環を形成する。一部の実施形態では、Ｒ１およびＲ２は、
【化１０】
2021522359.tif 000011
が単結合を表している時、それらが結合している原子と一緒になって、シクロペンチルまたはシクロヘキシル環を形成する。本開示の一部の実施形態は、Ｒ１およびＲ２が、それらが結合している原子と一緒になって、ヘテロアリールまたはヘテロシクリル環を形成する、式（Ｉ）の化合物を提供する。
【００２９】
本開示の別の実施形態は、Ｒ３がアセチルである、式（Ｉ）または（Ｉ−１）の化合物を提供する。
【００３０】
本開示の別の実施形態は、Ｒ３が水素である、式（Ｉ）または（Ｉ−１）の化合物を提供する。
【００３１】
例えば、本開示のある特定の実施形態では、式（Ｉ）の化合物は、
【化１１】
2021522359.tif 000012
である。
【００３２】
本開示のある特定の実施形態では、式（Ｉ）の化合物は、
【化１２】
2021522359.tif 000013
である。
【００３３】
本開示の他の実施形態では、式（Ｉ）の化合物は、
【化１３】
2021522359.tif 000014
である。
【００３４】
本開示の組成物のある特定の実施形態では、１つまたは複数の活性酸素剤中の過酸化物と、少なくとも１つの式（Ｉ）の化合物とのモル比は、約１：１〜約１０：１である。例えば、１つまたは複数の活性酸素剤中の過酸化物と、少なくとも１つの式（Ｉ）の化合物とのモル比は、約１：１〜約７：１、または約１：１〜約５：１、または約１：１〜約３：１、または約２：１〜約１０：１、または約２：１〜約７：１、または約２：１〜約５：１、または約２：１〜約３：１、または約３：１〜約１０：１、または約３：１〜約７：１、または約３：１〜約５：１である。
【００３５】
ある特定の実施形態では、本開示の組成物は、ＴＡＥＤを実質的に含まないものであり、例えば、組成物の総重量に対して、１ｗｔ％以下（例えば、０．５ｗｔ％以下、または０．１ｗｔ％以下、または０．０１ｗｔ％以下、または０．００１ｗｔ％以下、またはさらに０ｗｔ％）のＴＡＥＤが、組成物中に存在する。
【００３６】
本開示の組成物のある特定の実施形態では、式（Ｉ）の化合物は：
Ｎ，Ｎ’−（プロパン−１，２−ジイル）ビス（Ｎ−アセチルアセトアミド）、
Ｎ，Ｎ’−（ブタン−２，３−ジイル）ビス（Ｎ−アセチルアセトアミド）、および／または
Ｎ，Ｎ’−（シクロヘキサン−１，２−ジイル）ビス（Ｎ−アセチルアセトアミド）ではない。
【００３７】
本開示のある特定の実施形態では、本組成物は、少なくとも１つの式（Ｉ）の化合物を、組成物の総重量に対して約７０ｗｔ％までの量で含む。例えば、本組成物のある特定の実施形態では、本明細書に別段に記載されなければ、少なくとも１つの式（Ｉ）の化合物は、約５０ｗｔ％まで、または約３０ｗｔ％まで、または約１５ｗｔ％まで、または約１０ｗｔ％まで、または約５ｗｔ％まで、または約３ｗｔ％まで、または約２ｗｔ％までの量で存在する。ある特定の実施形態では、１つまたは複数の活性酸素剤は、約１０ｗｔ％〜約７０ｗｔ％、例えば、約２０ｗｔ％〜約７０ｗｔ％、または約２５ｗｔ％〜約７０ｗｔ％、または約３０ｗｔ％〜約７０ｗｔ％、または約４０ｗｔ％〜約７０ｗｔ％、または約２０ｗｔ％〜約５０ｗｔ％、または約２５ｗｔ％〜約５０ｗｔ％、または約３０ｗｔ％〜約５０ｗｔ％の量で存在する。例えば、本組成物のある特定の実施形態では、本明細書に別段に記載されなければ、少なくとも１つの式（Ｉ）の化合物は、約０．５ｗｔ％〜約１０ｗｔ％、例えば、約０．５ｗｔ％〜約８ｗｔ％、または約０．５ｗｔ％〜約５ｗｔ％、または約０．５ｗｔ％〜約３ｗｔ％、または約０．５ｗｔ％〜約２ｗｔ％、または約１ｗｔ％〜約１０ｗｔ％、または約１ｗｔ％〜約８ｗｔ％、または約１ｗｔ％〜約５ｗｔ％、または約５ｗｔ％〜約１０ｗｔ％の範囲の量で存在する。
【００３８】
上述のように、本開示の組成物は、１つまたは複数の活性酸素剤を含む。好適な活性酸素剤には、過酸素化合物、過酸素化合物付加物、過酸化水素、過酸化水素を遊離するかまたは発生する化合物、無機または有機のペルオキシ酸、ペルオキシカルボン酸、過炭酸塩、過ホウ酸塩、ペルオキシ水和物、過ケイ酸塩、過硫酸塩、およびこれらの組合せが含まれるが、これらに限定されない。
【００３９】
活性酸素剤は、過酸素化合物であってもよく、例えば、過酸化水素、第１族（ＩＡ）活性酸素化合物（例えば、過酸化ナトリウム）、第２族（ＩＩＡ）活性酸素化合物（例えば、過酸化マグネシウム）、第１２族（ＩＩＢ）活性酸素化合物（例えば、過酸化亜鉛）、第１３族（ＩＩＩＡ）活性酸素化合物（例えば、過ホウ酸塩）、第１４族（ＩＶＡ）活性酸素化合物（例えば、過ケイ酸塩およびペルオキシ炭酸塩）、第１５族（ＶＡ）活性酸素化合物（例えば、過リン酸塩）、第１６族（ＶＩＡ）活性酸素化合物（例えば、ペルオキシ硫酸およびその塩）、第１７族（ＶＩＴＡ）活性酸素化合物（例えば、過ヨウ素酸ナトリウム）、および遷移金属過酸化物が含まれる。種々の過酸化水素および／または過酸化水素付加物のいずれも、本開示における使用に好適であり得る。過炭酸ナトリウム（２Ｎａ２ＣＯ３−３Ｈ２Ｏ２）もまた、活性酸素剤として用いることができる。有機活性酸素化合物を含む活性酸素剤はまた、モノ−またはジ−ペルオキシカルボン酸などのペルオキシカルボン酸、これらの種類の化合物を含むアルカリ金属塩、またはそのような化合物の付加物も含み得る。過酸、ペルオキシ酸、過カルボン酸およびペルオキシカルボン酸は、それぞれ、一般式Ｒ（ＣＯ３Ｈ）ｎ（式中、Ｒは、飽和または不飽和の、置換または非置換のアルキル、アリールアルキル、シクロアルキル、芳香族、ヘテロ環式、またはエステル基であり得、ｎは、１、２、または３である）を有する酸を同義的に表す。
【００４０】
本開示のある特定の実施形態では、本組成物は、１つまたは複数の活性酸素剤を、組成物の総重量に対して約７０ｗｔ％までの量で含む。例えば、本組成物のある特定の実施形態では、本明細書に別段に記載されなければ、１つまたは複数の活性酸素剤は、約５０ｗｔ％まで、または約３０ｗｔ％まで、または約１５ｗｔ％まで、または約１０ｗｔ％まで、または約５ｗｔ％まで、または約３ｗｔ％まで、または約２ｗｔ％までの量で存在する。ある特定の実施形態では、１つまたは複数の活性酸素剤は、約２０ｗｔ％〜約７０ｗｔ％、例えば、約２５ｗｔ％〜約７０ｗｔ％、または約３０ｗｔ％〜約７０ｗｔ％、または約４０ｗｔ％〜約７０ｗｔ％、または約２０ｗｔ％〜約５０ｗｔ％、または約２５ｗｔ％〜約５０ｗｔ％、または約３０ｗｔ％〜約５０ｗｔ％の量で存在する。例えば、本組成物のある特定の実施形態では、本明細書に別段に記載されなければ、１つまたは複数の活性酸素剤は、約０．５ｗｔ％〜約２０ｗｔ％、例えば、約０．５ｗｔ％〜約１５ｗｔ％、または約０．５ｗｔ％〜約１０ｗｔ％、または約０．５ｗｔ％〜約５ｗｔ％、または約０．５ｗｔ％〜約２ｗｔ％、または約１ｗｔ％〜約２０ｗｔ％、または約１ｗｔ％〜約１５ｗｔ％、または約１ｗｔ％〜約１０ｗｔ％、または約１ｗｔ％〜約５ｗｔ％、または約５ｗｔ％〜約２０ｗｔ％、または約５ｗｔ％〜約１５ｗｔ％、または約５ｗｔ％〜約１０ｗｔ％の範囲の量で存在する。
【００４１】
本開示の別の態様は、１つまたは複数の界面活性剤、１つまたは複数の活性酸素剤、および本明細書に記載される少なくとも１つの式（Ｉ）の化合物を含む洗剤組成物を提供する。
【００４２】
界面活性剤は、セッケン、またはアニオン性、非イオン性、両性、双極性もしくはカチオン性の界面活性剤またはこれらの混合物であってもよい。一般に、非イオン性およびアニオン性の界面活性剤は、当技術分野で一般的に知られている、使用されているものから選択されてもよい。例えば、好適なアニオン性界面活性剤には、Ｃ８〜Ｃ２２アルキルラジカルを有する、有機の硫酸塩およびスルホン酸塩の水溶性アルカリ金属塩（例えば、獣脂またはヤシ油由来の高級Ｃ８〜Ｃ１８アルコールを硫酸塩にすることにより得られるアルキル硫酸ナトリウムおよびアルキル硫酸カリウム；アルキルＣ９〜Ｃ２０ベンゼンスルホン酸ナトリウムおよびアルキルＣ９〜Ｃ２０ベンゼンスルホン酸カリウム；アルキルグリセリルエーテル硫酸ナトリウム、特に獣脂またはヤシ油に由来する高級アルコールおよび石油に由来する合成アルコールのこれらのエーテル）が含まれるが、これらに限定されない。ある特定の実施形態では、アニオン性界面活性剤は、ラウリルエーテル硫酸ナトリウム（ＳＬＥＳ）、Ｃ１０〜Ｃ１５アルキルベンゼンスルホン酸ナトリウム（ＬＡＳ）、Ｃ１２〜Ｃ１８アルキル硫酸ナトリウム（ＰＡＳ）であってもよい。
【００４３】
好適な非イオン性界面活性剤には、疎水基、および例えば脂肪族アルコール、酸、アミドまたはアルキルフェノールのような反応性水素原子を有する化合物と、酸化アルキレンと、特に単独または酸化プロピレンと共に用いるいずれかの酸化エチレンとの反応生成物が含まれるが、これらに限定されない。ある特定の実施形態では、非イオン性界面活性剤は、Ｃ６〜Ｃ２２アルキルフェノール−酸化エチレン縮合物、一般に５〜２５個のＥＯ、すなわち１分子当たり５〜２５単位の酸化エチレンを有するもの、および脂肪族Ｃ８〜Ｃ１８第一級または第二級の直鎖または分岐状のアルコールと酸化エチレンとの縮合生成物、一般に５〜５０個のＥＯ（例えば、１０〜５０個のＥＯ、または２０〜３５個のＥＯ）のもの、であってもよい。
【００４４】
ある特定の実施形態では、１つまたは複数の界面活性剤には、セッケンが含まれる。脂肪酸セッケンは、約１６〜約２２個の炭素原子を、好ましくは直鎖配置で含有してもよい。好ましいセッケンは、天然の供給源から得られる飽和および不飽和の脂肪酸に由来してもよいし、合成による調製されてもよい。そのような脂肪酸の例には、カプリン酸、ラウリン酸、ミリスチン酸、パルミチン酸、ステアリン酸、オレイン酸、リノール酸、およびリノレン酸が含まれる。
【００４５】
ある特定の実施形態では、１つまたは複数の界面活性剤は、アニオン性および非イオン性の界面活性剤の混合物であってもよい。
【００４６】
両性または双極性の界面活性剤もまた、本開示の洗剤組成物に使用されてもよい。ある特定の実施形態では、両性および／または双極性の界面活性剤は、アニオン性および／または非イオン性の界面活性剤と組み合わせて使用されてもよい。
【００４７】
本開示のある特定の実施形態では、洗剤組成物は、１つまたは複数の界面活性剤を、洗剤組成物の総重量に対して約７０ｗｔ％までの量で含む。例えば、洗剤組成物のある特定の実施形態では、本明細書に別段に記載されなければ、１つまたは複数の界面活性剤は、約５０ｗｔ％まで、または約３０ｗｔ％まで、または約１５ｗｔ％まで、または約１０ｗｔ％まで、または約５ｗｔ％まで、または約３ｗｔ％まで、または約２ｗｔ％までの量で存在する。ある特定の実施形態では、１つまたは複数の界面活性剤は、約１５ｗｔ％〜約７０ｗｔ％、例えば、約２０ｗｔ％〜約７０ｗｔ％、または約２５ｗｔ％〜約７０ｗｔ％、または約３０ｗｔ％〜約７０ｗｔ％、または約４０ｗｔ％〜約７０ｗｔ％、または約１５ｗｔ％〜約５０ｗｔ％、または約２０ｗｔ％〜約５０ｗｔ％、または約２５ｗｔ％〜約５０ｗｔ％、または約３０ｗｔ％〜約５０ｗｔ％の量で存在する。ある特定の実施形態では、１つまたは複数の界面活性剤は、約０．５ｗｔ％〜約１５ｗｔ％、例えば、約０．５ｗｔ％〜約１０ｗｔ％、または約０．５ｗｔ％〜約５ｗｔ％、または約０．５ｗｔ％〜約３ｗｔ％、または約０．５ｗｔ％〜約２ｗｔ％、または約０．５ｗｔ％〜約１．５ｗｔ％、または約１ｗｔ％〜約１５ｗｔ％、または約１ｗｔ％〜約１０ｗｔ％、または約１ｗｔ％〜約５ｗｔ％、または約１ｗｔ％〜約３ｗｔ％の範囲の量で存在する。
【００４８】
本開示のある特定の実施形態では、洗剤組成物は、１つまたは複数の活性酸素剤を、洗剤組成物の総重量に対して約２０ｗｔ％までの量で含む。例えば、洗剤組成物のある特定の実施形態では、本明細書に別段に記載されなければ、１つまたは複数の活性酸素剤は、約０．５ｗｔ％〜約２０ｗｔ％、例えば、約０．５ｗｔ％〜約１５ｗｔ％、または約０．５ｗｔ％〜約１０ｗｔ％、または約０．５ｗｔ％〜約５ｗｔ％、または約０．５ｗｔ％〜約２ｗｔ％、または約１ｗｔ％〜約２０ｗｔ％、または約１ｗｔ％〜約１５ｗｔ％、または約１ｗｔ％〜約１０ｗｔ％、または約１ｗｔ％〜約５ｗｔ％、または約５ｗｔ％〜約２０ｗｔ％、または約５ｗｔ％〜約１５ｗｔ％、または約５ｗｔ％〜約１０ｗｔ％の範囲の量で存在する。
【００４９】
本開示のある特定の実施形態では、洗剤組成物は、少なくとも１つの式（Ｉ）の化合物を、洗剤組成物の総重量に対して、約１０ｗｔ％までの量で含む。例えば、本組成物のある特定の実施形態では、本明細書に別段に記載されなければ、少なくとも１つの式（Ｉ）の化合物は、約０．５ｗｔ％〜約１０ｗｔ％、例えば、約０．５ｗｔ％〜約８ｗｔ％、または約０．５ｗｔ％〜約５ｗｔ％、または約０．５ｗｔ％〜約３ｗｔ％、または約０．５ｗｔ％〜約２ｗｔ％、または約１ｗｔ％〜約１０ｗｔ％、または約１ｗｔ％〜約８ｗｔ％、または約１ｗｔ％〜約５ｗｔ％、または約５ｗｔ％〜約１０ｗｔ％の範囲の量で存在する。
【００５０】
本開示の洗剤組成物はまた、ビルダーも含んでもよい。当業者は、所望の使用に基づいて好適なビルダーを選択することができる。好適なビルダーには、カルシウム捕捉物質、沈殿性物質、カルシウムイオン交換物質、およびこれらの混合物が含まれるが、これらに限定されない。カルシウム捕捉物質の例には、トリポリリン酸ナトリウムなどのポリリン酸アルカリ金属塩、およびエチレンジアミン四酢酸などの有機捕捉剤が含まれる。沈殿性ビルダー物質の例には、オルトリン酸ナトリウムおよび炭酸ナトリウムが含まれる。カルシウムイオン交換ビルダー物質の例には、さまざまな種類の水不溶性結晶または非晶質のアルミノケイ酸（例えば、ゼオライトＡ、ゼオライトＢ（ゼオライトＰとしても公知）、ゼオライトＣ、ゼオライトＸ、ゼオライトＹなど）が含まれる。ある特定の実施形態では、不溶性の無機ビルダーは、０．１〜１０μｍ（粒度分析計によりレーザー回折を使用して測定される）の範囲の大きさを有してもよい。ある特定の実施形態では、洗剤組成物中のビルダーの量は、洗剤組成物の総重量に対して、約１ｗｔ％〜約４０ｗｔ％の範囲である。
【００５１】
本開示の洗剤組成物は、酵素、ポリマー、芳香剤、蛍光剤、汚れ放出ポリマー、殺菌剤、布帛軟化剤、着色剤、および青色スペックルなどの着色スペックルなどの１つまたは複数の他の成分を含んでもよい。
【００５２】
本開示の洗剤組成物は、粉末剤、錠剤、液体、棒状、結晶、ゲル、カプセル剤、または水性もしくは非水性の液体、またはシートもしくは他の基材上でまたはパウチ内で運ばれるなどの異なる形態であってもよい。ある特定の実施形態では、本開示の洗剤組成物は、水性液体の形態である。ある特定の実施形態では、本開示の洗剤組成物は、ゲル形態である。
【００５３】
本明細書に記載される洗剤組成物は、任意の好適な基材を処理（例えば、漂白）する目的に使用することができる任意の調製物、例えば、洗濯洗浄用、洗濯漂白用、前処理漂白用、硬質表面洗浄用（洗面所、台所作業表面、床、機械的な部分などの洗浄を含む）、または自動食器洗浄用の組成物を作製するために使用されてもよい。
【００５４】
洗剤組成物は、水に溶解した場合（例えば、第１の使用サイクル中）、約８〜約１２の範囲内、例えば、約８〜約１１、または約８〜約１０、または約８〜約９、または約８．２〜約９．８、または約８．３〜約９．７、または約８．４〜約９．６、または約８．６〜約９．５、または約８．８〜約９．３の範囲内のｐＨ値を有する。
【００５５】
本開示の別の態様は、過酢酸溶液を生成する方法であって、活性酸素剤と本明細書に記載される式（Ｉ）の化合物とを水溶液中で反応させて、アミド結合を過加水分解することを含む、方法を提供する。
【００５６】
本方法のある特定の実施形態では、活性酸素剤と式（Ｉ）の化合物とのモル比は、約１：１〜約３：１の範囲である。
【００５７】
本開示の別の態様は、本明細書に記載される式（Ｉ）の化合物を調製する方法であって、式（ＩＩ）
【化１４】
2021522359.tif 000015
［式中、
【化１５】
2021522359.tif 000016
は、単結合または二重結合を表し、ただし、該結合がＣ原子の原子価要件を満たすことを条件とし；
Ｒ１１は、Ｃ１〜Ｃ４アルキル、Ｃ２〜Ｃ４アルケニル、またはＣ２〜Ｃ４アルキニルであり、そのそれぞれは独立して、１つまたは複数のＲ４１で任意選択で置換されており；
Ｒ２１は、水素、Ｃ１〜Ｃ４アルキル、Ｃ２〜Ｃ４アルケニル、またはＣ２〜Ｃ４アルキニルであり、そのそれぞれは独立して、１つまたは複数のＲ５１で任意選択で置換されており；
またはＲ１１およびＲ２１は、それらが結合している原子と一緒になって、アリール、ヘテロアリール、ヘテロシクリル、もしくはＣ５〜Ｃ８シクロアルキル環を形成し；
各Ｒ４１およびＲ５１は、独立して、Ｃ３〜Ｃ８シクロアルキル、アリール、ヘテロアリール、およびヘテロシクリルからなる群から選択される］の化合物またはその塩と、無水酢酸または塩化アセチル、および塩基とを接触させることを含む、方法を提供する。
【００５８】
本方法のある特定の実施形態では、式（ＩＩ）の化合物：無水酢酸：塩基のモル比は、約１：４：３〜約１：８：４である。
【００５９】
ＴＡＥＤの合成は、当技術分野で周知である。ジアミンのアセチル化は、無水酢酸、酢酸、またはケトンを化学量論量またはモル過剰のいずれかで含むアセチル化剤を用いて達成することができる。任意選択で、塩基（例えば、アミン）を触媒として添加し、反応を促進するか、またはほぼモル当量（生成された酢酸の量に対して）において、ジアミンと無水酢酸との反応から生じた酢酸を中和してもよい。任意選択で、溶媒（例えば、炭化水素）を使用し、反応混合物からの水の除去において（除去オーバーヘッド（removal overhead）を介して）補助してもよい。合成は、Ｎ，Ｎ’ジアセチルジアミンを最初に合成し、単離して、トリアセチルジアミンもしくはテトラアセチルジアミンの生成用の中間体として使用する２ステップ反応であり得るか、または中間体ジアセチルジアミンを単離しない１ステップ反応のいずれかであり得る。１ステップ反応を用いる場合は、アセチル化剤が、ジアミンの少なくとも２モル当量より多い量で存在する。
【００６０】
ある特定の実施形態では、接触させる工程は、溶媒の非存在下（すなわち、接触は無溶媒（neat solution）中である）である。ある特定の実施形態では、接触させる工程は、非極性溶媒の存在下である。好適な溶媒には、トルエンおよびキシレンなどの高沸点を有する溶媒が含まれるが、これらに限定されない。
【００６１】
定義
使用される以下の用語および表現は、示された意味を有する。
【００６２】
本明細書全体を通して、文脈によりそうでない旨が要求されない限り、語「含む（comprise）」および「含む（include）」ならびに変形（例えば、「含む（comprises）」、「含んでいる（comprising）」、「含む（includes）」、「含んでいる（including）」）は、述べられた構成要素、特色、要素、もしくはステップ、または構成要素、特色、要素、もしくはステップの群の包含を意味するが、任意の他の必須のもの（integer）もしくはステップまたは必須のものもしくはステップの群を排除しないことが理解されるであろう。
【００６３】
本明細書および添付の特許請求の範囲で使用される場合、単数形「１つの（a）」、「１つの（an）」および「その（the）」は、文脈により明確に別段の指示がない限り、複数の指示対象を含む。
【００６４】
範囲は、本明細書で、「約」１つの特定の値から、および／または「約」別の特定の値までのように表現され得る。そのような範囲が表現される時、別の態様は、１つの特定の値から、および／または他の特定の値までを含む。同様に、値が、先行詞「約」の使用により近似値として表現される時、特定の値が別の態様を形成することを理解されたい。各範囲の端点が、他の端点と関連する場合も、他の端点から独立する場合もその両方とも有意であることをさらに理解されたい。
【００６５】
本明細書の全ての百分率、比および割合は、特に明記されない限り、重量による。構成要素の重量パーセント（重量％、ｗｔ％とも）は、それに反して特に述べられない限り、構成要素が含まれる配合物または組成物の総重量に対する（例えば、洗剤組成物の総量）。全てのモル％値は、活性化合物のモルに基づく。
【００６６】
用語「アルケニル」とは、本明細書で使用される場合、特に明記されない限り、２〜１０個の炭素を含有し、少なくとも１つの炭素−炭素二重結合を含有する直鎖または分岐鎖の炭化水素を意味する。アルケニルの代表例には、エテニル、２−プロペニル、２−メチル−２−プロペニル、３−ブテニル、４−ペンテニル、５−ヘキセニル、２−ヘプテニル、２−メチル−１−ヘプテニル、３−デセニルおよび３，７−ジメチルオクタ−２，６−ジエニル、ならびに２−プロピル−２−ヘプテニルが含まれるが、これらに限定されない。用語「アルケニレン」は、２価のアルケニル基を指し、アルケニルは本明細書で定義される通りである。
【００６７】
用語「アルキル」とは、本明細書で使用される場合、特に明記されない限り、１〜１０個の炭素原子を含有する直鎖または分岐鎖の炭化水素を意味する。アルキルの代表例には、メチル、エチル、ｎ−プロピル、イソ−プロピル、ｎ−ブチル、ｓｅｃ−ブチル、イソ−ブチル、ｔｅｒｔ−ブチル、ｎ−ペンチル、イソペンチル、ネオペンチル、ｎ−ヘキシル、３−メチルヘキシル、２，２−ジメチルペンチル、２，３−ジメチルペンチル、ｎ−ヘプチル、ｎ−オクチル、ｎ−ノニル、およびｎ−デシルが含まれるが、これらに限定されない。用語「アルキレン」は、２価のアルキル基を指し、アルキルは本明細書で定義される通りである。
【００６８】
用語「アルキニル」とは、本明細書で使用される場合、特に明記されない限り、２〜１０個の炭素原子を含有し、少なくとも１つの炭素−炭素三重結合を含有する直鎖または分岐鎖の炭化水素基を意味する。アルキニルの代表例には、アセチレニル、１−プロピニル、２−プロピニル、３−ブチニル、２−ペンチニル、および１−ブチニルが含まれるが、これらに限定されない。用語「アルキニレン」は、２価のアルキニル基を指し、アルキニルは本明細書で定義される通りである。
【００６９】
用語「アリール」とは、本明細書で使用される場合、フェニル（すなわち、単環式アリール）、または少なくとも１つのフェニル環を含有する二環系もしくは芳香族二環系中に炭素原子のみを含有する芳香族二環、または少なくとも１つのフェニル環を含有する多環系を意味する。二環式アリールは、アズレニル、ナフチル、またはシクロアルキル、シクロアルケニルもしくはヘテロシクリルと縮合したフェニルであり得る。二環式または多環式のアリールは、二環系または多環系のフェニル部分内に含まれる任意の炭素原子、またはナフチル、アズレニル、アントラセンもしくはピレン環の任意の炭素原子を通して、親分子部分に結合している。
【００７０】
用語「シクロアルキル」とは、本明細書で使用される場合、単環式または二環式のシクロアルキル環系を意味する。単環系は、３〜１０個の炭素原子を含有する環式の炭化水素基であり、そのような基は、飽和または不飽和であり得るが、芳香族ではない。ある特定の実施形態では、シクロアルキル基は、完全に飽和している。単環式シクロアルキルの例には、シクロプロピル、シクロブチル、シクロペンチル、シクロペンテニル、シクロヘキシル、シクロヘキセニル、シクロヘプチル、およびシクロオクチルが含まれる。二環系の代表例には、ビシクロ［３．１．１］ヘプタン、ビシクロ［２．２．１］ヘプタン、ビシクロ［２．２．２］オクタン、ビシクロ［３．２．２］ノナン、ビシクロ［３．３．１］ノナン、およびビシクロ［４．２．１］ノナンが含まれるが、これらに限定されない。
【００７１】
用語「ヘテロアリール」とは、本明細書で使用される場合、単環式ヘテロアリール、または少なくとも１つの芳香族複素環を含有する二環式もしくは多環式の環系を意味する。単環式ヘテロアリールは、５員環または６員環であり得る。５員環は、２つの二重結合および１、２、３または４個の窒素原子ならびに任意選択で１個の酸素原子または硫黄原子からなる。６員環は、３つの二重結合および１、２、３または４個の窒素原子からなる。５員環または６員環のヘテロアリールは、ヘテロアリール中に含有される任意の炭素原子または任意の窒素原子を通して親分子部分に接続している。二環式または多環式のヘテロアリールは、フェニル、シクロアルキル、シクロアルケニル、ヘテロシクリル、またはヘテロアリールに縮合したヘテロアリールからなる。ヘテロアリールの代表例には、フリル、イミダゾリル、イソオキサゾリル、イソチアゾリル、オキサジアゾリル、オキサゾリル、ピリジニル、ピリダジニル、ピリミジニル、ピラジニル、ピラゾリル、ピロリル、テトラゾリル、チアジアゾリル、チアゾリル、チエニル、トリアゾリル、トリアジニル、ベンゾイミダゾリル、ベンゾフラニル、ベンゾチエニル、ベンゾオキサジアゾリル、ベンゾオキサチアジアゾリル、ベンゾチアゾリル、シンノリニル、５，６−ジヒドロキノリン−２−イル、５，６−ジヒドロイソキノリン−１−イル、フロピリジニル、インダゾリル、インドリル、イソキノリニル、ナフチリジニル、キノリニル、またはプリニルが含まれるが、これらに限定されない。
【００７２】
用語「ヘテロシクリル」とは、本明細書で使用される場合、単環式複素環または二環式複素環を意味する。単環式複素環は、独立して、Ｏ、Ｎ、およびＳからなる群から選択される少なくとも１個のヘテロ原子を含有する５員、６員または７員環であり、環は飽和または不飽和であるが、芳香族ではない。５員環は、ゼロまたは１つの二重結合、ならびにＯ、ＮおよびＳからなる群から選択される１、２または３個のヘテロ原子を含有し得る。６員、または７員環は、ゼロ、１、または２つの二重結合、ならびにＯ、ＮおよびＳからなる群から選択される１、２または３個のヘテロ原子を含有する。二環式複素環は、フェニル、単環式シクロアルキル、単環式シクロアルケニル、単環式複素環、または単環式ヘテロアリールのいずれかと縮合した単環式複素環である。複素環の代表例には、アジリジニル、ジアゼパニル、１，３−ジオキサニル、１，３−ジオキソラニル、１，３−ジチオラニル、１，３−ジチアニル、イミダゾリニル、イミダゾリジニル、イソチアゾリニル、イソチアゾリジニル、イソオキサゾリニル、イソオキサゾリジニル、マレイミジル、モルホリニル、オキサジアゾリニル、オキサジアゾリジニル、オキサゾリニル、オキサゾリジニル、ピペラジニル、ピペリジニル、ピラニル、ピラゾリニル、ピラゾリジニル、ピロリニル、ピロリジニル、テトラヒドロフラニル、テトラヒドロチエニル、チアジアゾリニル、チアジアゾリジニル、チアゾリニル、チアゾリジニル、チオモルホリニル、１，１−ジオキシドチオモルホリニル（チオモルホリンスルホン）、チオピラニル、トリチアニル、２，３−ジヒドロベンゾフラン−２−イル、およびインドリニルが含まれるが、これらに限定されない。
【００７３】
句「１つまたは複数の」置換基は、本明細書で使用される場合、１個から、利用できる結合部位の数に基づいて可能性がある最大数の置換基までと等しいいくつかの置換基を指し、ただし、安定性および化学的な実現可能性の上記条件を満たしている場合である。別段の指示がない限り、任意選択で置換された基は、基のそれぞれの置換可能な位置において置換基を有してもよく、置換基は、同一であってもまたは異なってもよい。本明細書で使用される場合、用語「独立して選択される」とは、同一または異なる値が、単一の化合物において所与の可変要素の複数の場合に対して選択され得ることを意味する。
【００７４】
「任意選択の」または「任意選択で」とは、それに続いて記載された事象または状況が生じても生じなくてもよく、該記述は、前記事象または状況が生じる場合およびそれが生じない場合を含むことを意味する。当業者は、１つまたは複数の任意選択の置換基を含有すると記載された任意の分子に関して、立体的に実用的および／または合成上実現可能な化合物のみが含まれることを意味することを理解するであろう。「任意選択で置換される」は、別段に明記されない限り、用語中の全てのそれに続く変更要素を指す。
【００７５】
用語「置換される」とは、本明細書で使用される場合、明示された部分の水素ラジカルが、特定の置換基のラジカルで置き換えられることを意味し、ただし、置換により、安定なまたは化学的に実行可能な化合物がもたらされるとする。用語「置換可能な」とは、明示された原子に関連して使用される時、その原子に結合しているのが水素ラジカルであり、それが好適な置換基のラジカルで置き換えられ得ることを意味する。
【００７６】
調製方法
本開示の化合物の合成に有用な、一般に知られている化学合成のスキームおよび条件を提供する多くの一般的な参照文献が入手可能である（例えば、Smith and March, March's Advanced Organic Chemistry:Reactions, Mechanisms, and Structure, Fifth Edition, Wiley-Interscience, 2001;またはVogel, A Textbook of Practical Organic Chemistry, Including Qualitative Organic Analysis, Fourth Edition, New York: Longman, 1978を参照されたい）。
【００７７】
本明細書に記載される化合物は、ＨＰＬＣ、分取薄層クロマトグラフィー、フラッシュカラムクロマトグラフィーおよびイオン交換クロマトグラフィーなどのクロマトグラフィー手段を含む、当技術分野で公知の任意の手段により精製することができる。順相および逆相と同様にイオン性樹脂を含む、任意の好適な固定相を使用することができる。最も典型的には、本開示の化合物は、シリカゲルおよび／またはアルミナのクロマトグラフィーを介して精製される。例えば、Introduction to Modern Liquid Chromatography, 2nd Edition, ed. L. R. Snyder and J. J. Kirkland, John Wiley and Sons, 1979;およびThin Layer Chromatography, ed E. Stahl, Springer-Verlag, New York, 1969を参照されたい。
【００７８】
対象化合物の任意の調製プロセス中に、関係する任意の分子上の感受性または反応性の基を保護することが必要かつ／または望ましくあり得る。これは、慣用的な保護基という手段により達成され得、例えば、J. F. W. McOmie, “Protective Groups in Organic Chemistry,” Plenum Press, London and New York 1973, in T. W. Greene and P. G. M. Wuts, “Protective Groups in Organic Synthesis,” Third edition, Wiley, New York 1999, in “The Peptides”; Volume 3 (editors: E. Gross and J. Meienhofer), Academic Press, London and New York 1981, in “Methoden der organischen Chemie,” Houben-Weyl, 4.sup.th edition, Vol. 15/l, Georg Thieme Verlag, Stuttgart 1974, in H.-D. Jakubke and H. Jescheit, “Aminosauren, Peptide, Proteine,” Verlag Chemie, Weinheim, Deerfield Beach, and Basel 1982および/またはin Jochen Lehmann, “Chemie der Kohlenhydrate: Monosaccharide and Derivate,” Georg Thieme Verlag, Stuttgart 1974などの標準的な著書に記載される。保護基は、当技術分野で公知の方法を使用して、都合の良い後続段階で除去され得る。
【００７９】
本明細書に開示される化合物は、当業者によく知られている手順を使用して、本明細書に記載されるように作製することができる。例えば、本開示の化合物は、スキーム１（以下）、または類似の合成スキームに従って調製することができる。当業者は、スキーム１の出発物質および反応シーケンスを、所望の標的分子に適するように適合させることができる。当然のことながら、ある特定の状況では、当業者は、異なる試薬を使用して、１つまたは複数の個々のステップに影響を及ぼすか、または特定の置換基の保護されたバージョンを使用する。加えて、当業者は、本開示の化合物が、完全に異なる経路を使用して合成され得ることを理解するであろう。
【実施例】
【００８０】
本開示の化合物の調製および本開示の方法を、以下の実施例によりさらに例示し、これらは、本開示を範囲または趣旨において、本開示の特定の手順に限定するものと解釈されるべきではない。
【００８１】
[実施例１]
Ｎ，Ｎ’−（プロパン−１，２−ジイル）ビス（Ｎ−アセチルアセトアミド）（１）およびＮ−（２−アセトアミドプロピル）−Ｎ−アセチルアセトアミド（２）の合成
【化１６】
2021522359.tif 000017
プロピレン−１，２−ジアミンを、トリエチルアミン（ＴＥＡ）の存在下で、過剰の無水酢酸（Ａｃ２Ｏ）を用いて、１００℃で２０時間（時間）処理することにより、Ｎ，Ｎ’−（プロパン−１，２−ジイル）ビス（Ｎ−アセチルアセトアミド）（１；ＴＡ（Ｍｅ）ＥＤとしても公知）およびＮ−（２−アセトアミドプロピル）−Ｎ−アセチルアセトアミド（２；ＴｒｉＡ（Ｍｅ）ＥＤとしても公知）を合成した（スキーム１）。プロピレン−１，２−ジアミン：Ａｃ２Ｏ：ＴＥＡの供給比は、１ｇのプロピレン−１，２−ジアミンを用いて、１：４．５：３．５（ｍｏｌ／ｍｏｌ／ｍｏｌ）であった。反応後、ＤＩ水を添加し、反応混合物をジクロロメタン（ＤＣＭ）で抽出した。大部分の副生成物の酢酸（ＡｃＯＨ）、ＴＥＡ−ＡｃＯＨ塩、および未反応のＮ，Ｎ’−（プロパン−１，２−ジイル）ジアセトアミド（３；ＤＡ（Ｍｅ）ＥＤとしても公知）は、水性相中に留まり、生成物のＮ，Ｎ’−（プロパン−１，２−ジイル）ビス（Ｎ−アセチルアセトアミド）（１）およびＮ−（２−アセトアミドプロピル）−Ｎ−アセチルアセトアミド（２）は、ＤＣＭ相中に豊富であった。純粋生成物を、シリカゲルカラムクロマトグラフィー（酢酸エチル（ＥｔＯＡｃ）：ヘキサンを溶離液として、１：２〜１０：１の体積比）を通して得た。Ｎ−（２−アセトアミドプロピル）−Ｎ−アセチルアセトアミド（２）は、再結晶によりさらに精製することができ、ＤＣＭ：エーテル：ヘキサンを使用して白色針状結晶を得た。
【００８２】
１Ｈおよび１３Ｃ核磁気共鳴（ＮＭＲ）スペクトルを、Ｖａｒｉａｎ  Ｕ５００分光計で記録した。化学シフトをｐｐｍで報告し、溶媒プロトン不純物を参照した。高速液体クロマトグラフィー（ＨＰＬＣ）を、１２６Ｐ溶媒モジュール、Ｓｙｓｔｅｍ  Ｇｏｌｄ  １２８  ＵＶ検出器、および分析用Ｐｈｅ−Ｈｅｘカラム（５μｍ、１００ｍｍ×４．６ｍｍ、Ｐｈｅｎｏｍｅｎｅｘ）を取り付けたＳｙｓｔｅｍ  Ｇｏｌｄシステム（Ｂｅｃｋｍａｎ  Ｃｏｕｌｔｅｒ、Ｆｕｌｌｅｒｔｏｎ、ＣＡ、ＵＳＡ）で実施した。ＨＰＬＣ試験の一部を、ＰＤＡ検出器（ＳＰＤ−Ｍ２０Ａ）と接続したＳｈｉｍａｄｚｕ  ＨＰＬＣシステム（ＬＣ−２０ＡＴ）で実施した。勾配法を採用し、移動相として０．１％のＴＦＡ−Ｈ２Ｏおよびアセトニトリル（ＡＣＮ）を使用した。Ｎ，Ｎ’−（プロパン−１，２−ジイル）ビス（Ｎ−アセチルアセトアミド）（１）およびＮ−（２−アセトアミドプロピル）−Ｎ−アセチルアセトアミド（２）の検出用のＵＶ波長は、２１８ｎｍに設定した。
【００８３】
Ｎ，Ｎ’−（プロパン−１，２−ジイル）ビス（Ｎ−アセチルアセトアミド）（１）：１Ｈ  ＮＭＲ（ＣＤＣｌ３、δ、５００ＭＨｚ）：４．３０（ｍ、１Ｈ、−ＣＨ（ＣＨ３）ＣＨ２−）、４．０４（ｄ、Ｊ＝６．８８Ｈｚ、２Ｈ、−ＣＨ（ＣＨ３）ＣＨ２−）、２．３８（ｓ、６Ｈ、ＣＨ３Ｃ（＝Ｏ）−）、２．３３（ｓ、６Ｈ、ＣＨ３Ｃ（＝Ｏ）−）、１．３８（ｄ、Ｊ＝６．９３Ｈｚ、３Ｈ、−ＣＨ（ＣＨ３）ＣＨ２−）；ＭＳ（ＥＳＩ）：ｍ／ｚ［Ｍ＋Ｎａ］＋  Ｃ１１Ｈ１８Ｎ２Ｏ４Ｎａに関する計算値  ２６５．１１６４；実測値：２６５．１１６５。
【００８４】
Ｎ−（２−アセトアミドプロピル）−Ｎ−アセチルアセトアミド（２）：１Ｈ  ＮＭＲ（ＣＤＣｌ３、δ、５００ＭＨｚ）：５．８６（ｓ、１Ｈ、−ＮＨＣＨ（ＣＨ３）ＣＨ２−）、４．１６（ｍ、１Ｈ、−ＮＨＣＨ（ＣＨ３）ＣＨ２−）、３．９７（ｄｄ、Ｊ１＝９．７４Ｈｚ、Ｊ２＝１４．８Ｈｚ、１Ｈ、−ＮＨＣＨ（ＣＨ３）ＣＨ２−）、３．５５（ｄｄ、Ｊ１＝５．１０Ｈｚ、Ｊ２＝１４．８Ｈｚ、１Ｈ、−ＮＨＣＨ（ＣＨ３）ＣＨ２−）、２．４４（ｓ、６Ｈ、ＣＨ３Ｃ（＝Ｏ）−）、１．９１（ｓ、３Ｈ、ＣＨ３Ｃ（＝Ｏ）−）、１．１７（ｄ、Ｊ＝６．５６Ｈｚ、３Ｈ、−ＮＨＣＨ（ＣＨ３）ＣＨ２−）；ＭＳ（ＥＳＩ）：ｍ／ｚ  ［Ｍ＋Ｎａ］＋  Ｃ１１Ｈ１８Ｎ２Ｏ４Ｎａに関する計算値  ２６５．１１６４；実測値：２６５．１１６５。
【００８５】
Ｎ，Ｎ’−（プロパン−１，２−ジイル）ジアセトアミド（３）：１Ｈ  ＮＭＲ（ＣＤＣｌ３、δ、５００ＭＨｚ）：６．４４（ｓ、１Ｈ、−ＮＨＣＨ（ＣＨ３）ＣＨ２ＮＨ−）、６．１８（ｓ、１Ｈ、−ＮＨＣＨ（ＣＨ３）ＣＨ２ＮＨ−）、４．０３（ｍ、１Ｈ、−ＮＨＣＨ（ＣＨ３）ＣＨ２ＮＨ−）、３．３４（ｍ、１Ｈ、−ＮＨＣＨ（ＣＨ３）ＣＨ２ＮＨ−）、３．２０（ｍ、１Ｈ、−ＮＨＣＨ（ＣＨ３）ＣＨ２ＮＨ−）、１．９８（ｓ、３Ｈ、ＣＨ３Ｃ（＝Ｏ）−）、１．９６（ｓ、３Ｈ、ＣＨ３Ｃ（＝Ｏ）−）、１．１６（ｄ、Ｊ＝６．６８Ｈｚ、３Ｈ、−ＮＨＣＨ（ＣＨ３）ＣＨ２ＮＨ−）。
【００８６】
[実施例２]
Ｎ，Ｎ’−（プロパン−１，２−ジイル）ビス（Ｎ−アセチルアセトアミド）（１）およびＮ−（２−アセトアミドプロピル）−Ｎ−アセチルアセトアミド（２）の評価
加水分解性の分解を研究するために、上記１および２を、５０μｇ／ｍＬにおけるトリス緩衝液（ｐＨ８．０、０．１Ｍ）：アセトニトリル（ｃａｎ）の混合物（３：１、ｖ／ｖ）に溶解した。過加水分解性の分解を、過ホウ酸ナトリウム（１０当量）の存在下で、同様の条件で評価した。市販の漂白活性化剤であるテトラアセチルエチレンジアミン（ＴＡＥＤ）を対照として使用した。この混合物を、室温（２０℃）で２０日間インキュベートした。異なる時間間隔で、溶液のアリコートを取り出し、ＨＰＬＣにより分析した。上記１および２の濃度を、λ最大＝２１８ｎｍにおけるＵＶ−可視吸収により標準曲線を通して定量化した。漂白試験のために、上記１、２、ＴＡＥＤ、および他の対照分子（２０ｍｇ）を、市販の食用色素（１００倍希釈、１ｍＬ）および過酸化水素（Ｈ２Ｏ２、３０％、１ｍＬ）で処理した。この混合物を、室温（２０℃）でインキュベートし、異なる時間間隔で確認して、色素の漂白をモニタリングした。
【００８７】
Ｎ，Ｎ’−（プロパン−１，２−ジイル）ビス（Ｎ−アセチルアセトアミド）（１）およびＮ−（２−アセトアミドプロピル）−Ｎ−アセチルアセトアミド（２）の両方とも、驚いたことに、広く使用されている漂白活性化剤であるＴＡＥＤと比較してより遅い分解を示した。このことは、ジアミン骨格上のα−メチル基が加水分解速度を低下させたことを示唆している（図１Ａ）。全ての化合物の加水分解が一次速度則に従っており、ｌｎ（［Ｍ］０／［Ｍ］ｔ）対時間の直線関係が観察された（図１Ｂ）。速度プロットにおける傾きから算出された速度定数を、表１に列記する。しかしながら、ナトリウム過酸塩の存在下（１０当量）で、過加水分解速度は、ＴＡＥＤ、１、および２間で同等であった。過加水分解性の分解は、加水分解性の分解と同じ順序（ＴＡＥＤ＞１＞２）に従ったけれども、３つの分子全ての過加水分解は、７２時間内に終了した（５％未満が残った）。したがって、ＴＡＥＤよりも疎水性で立体障害性の骨格を有する、Ｎ，Ｎ’−（プロパン−１，２−ジイル）ビス（Ｎ−アセチルアセトアミド）（１）およびＮ−（２−アセトアミドプロピル）−Ｎ−アセチルアセトアミド（２）は、ＴＡＥＤよりも、加水分解に対する驚くほど良好な耐性、および過酸塩の存在下での同等の過加水分解性の分解を有し、その結果として、漂白活性化剤としてＴＡＥＤより優れた代替物である。
【表１】
2021522359.tif 000018
【００８８】
本発明の化合物を漂白試験にかけた。食用色素をＡｄａｍｓ  Ｅｘｔｒａｃｔから購入し、使用前にトリス緩衝液（ｐＨ８．０、０．１Ｍ）で５００倍に希釈した。希釈した食用色素を、Ｈ２Ｏ２（３０％）と１：１比（ｖ／ｖ）で混合した。全ての１０ｍｇのＴＡＥＤ／ＴＡ（Ｍｅ）ＥＤ／ＴｒｉＡ（Ｍｅ）ＥＤに対して、１ｍＬの食用色素／Ｈ２Ｏ２の混合物を添加した。漂白試験の結果を図２に示す。広く使用されている漂白活性化剤のＴＡＥＤは、Ｈ２Ｏ２と活発に反応し、約２４時間後に青色が消失した。ジアミン中心部にもう１個のメチル基を有するＮ，Ｎ’−（プロパン−１，２−ジイル）ビス（Ｎ−アセチルアセトアミド）（１）は、同様の活性化能力を示し、２４時間後に青色を漂白した。より良好な安定性を有し、過酢酸生成のための活性部位が１つ少ない（１分子当たり１個のイミド基）、Ｎ−（２−アセトアミドプロピル）−Ｎ−アセチルアセトアミド（２）は、かなり遅い漂白作用を示し、青色は処理の２４時間後にゆっくりと消えていった。Ｎ，Ｎ’−（プロパン−１，２−ジイル）ビス（Ｎ−アセチルアセトアミド）（１）およびＮ−（２−アセトアミドプロピル）−Ｎ−アセチルアセトアミド（２）の両方とも、同様の活性化能力を示し、２４時間（時間）後に青色を漂白した。比較として、利用できるイミド基を持たないジアセチルエチレンジアミン（ＤＡＥＤ）およびＮ，Ｎ’−（プロパン−１，２−ジイル）ジアセトアミド（３）は、予想通りに挙動し、いかなる漂白活性化効果も示さなかった。
【００８９】
[実施例３]
Ｎ，Ｎ’−（ブタン−１，２−ジイル）ビス（Ｎ−アセチルアセトアミド）（５）およびＮ，Ｎ’−（ブタン−２，３−ジイル）ビス（Ｎ−アセチルアセトアミド）（６）の合成
【化１７】
2021522359.tif 000019
ブタン−１，２−ジアミンを、トリエチルアミン（ＴＥＡ）の存在下で、過剰の無水酢酸（Ａｃ２Ｏ）を用いて、１００℃で２０時間処理した（スキーム２）。ブタン−１，２−ジアミン：Ａｃ２Ｏ：ＴＥＡの供給比は、１ｇのブタン−１，２−ジアミンを用いて、約１：４．５：３．５（ｍｏｌ／ｍｏｌ／ｍｏｌ）である。反応後、ＤＩ水を添加し、反応混合物をジクロロメタン（ＤＣＭ）で抽出する。大部分の副生成物の酢酸（ＡｃＯＨ）、ＴＥＡ−ＡｃＯＨ塩、および未反応のＮ，Ｎ’−（ブタン−１，２−ジイル）ジアセトアミド（４）は、水性相中に留まり、生成物のＮ，Ｎ’−（ブタン−１，２−ジイル）ビス（Ｎ−アセチルアセトアミド）（５；ＴＡ（Ｅｔ）ＥＤとしても公知）およびＮ−（２−アセトアミドブチル）−Ｎ−アセチルアセトアミド（６；ＴｒｉＡ（Ｅｔ）ＥＤとしても公知）は、ＤＣＭ相中に豊富であった。純粋生成物を、シリカゲルカラムクロマトグラフィーを通して得た。
【００９０】
[実施例４〜７]
本開示の表２中の化合物は、本質的に実施例１で提供した方法により調製することができる。
【表２】
2021522359.tif 000020
【００９１】
本明細書に記載される実施例および実施形態は、単に例示的な目的のためであり、その観点からさまざまな修正または変更が当業者に示唆され、本出願の趣旨および全範囲ならびに添付の特許請求の範囲に組み込まれることを理解されたい。本明細書に引用される全ての刊行物、特許、および特許出願は、あらゆる目的のために参照により本明細書に組み込まれる。
【図１】
2021522359.tif 000030
【図２】
2021522359.tif 000031
【国際調査報告】
2021522359.tif 000032
2021522359.tif 000033
2021522359.tif 000034